(57)【要約】【課題】構造が簡単で施工が容易であり、しかも水密性に優れた、安価に製作できる採光屋根を提供する。【解決手段】長尺状の平板部６ａと内側壁部６ｅ，６ｇと底壁部６ｂ，６ｃと外側壁部６ｄ，６ｆとガイド部６ｌ，６ｍとを備えた保持体６と、押さえ金具１８とを設ける。透明パネル２２の両側部を保持体６の外側壁部６ｄ，６ｆの上端に載置し、保持体６のガイド部６ｌ，６ｍに押さえ金具１８を昇降自在に支承する。押さえ金具１８の両側部の押さえ部１８ｃ，１８ｄを止水材２８，２８を介して透明パネル２２の上面に圧接し、該圧接した状態で押さえ金具１８を保持体６に固定する。保持体６の底壁部６ｂ，６ｃを屋根材４の水平部４ｃを介して屋根支持体２に固定する。【選択図】  図１
2007162334.tif 000002
【特許請求の範囲】
【請求項１】
採光開放空間部を有して配置された屋根支持体（２）に金属板からなる屋根材（４）を葺成し、該屋根材（４）に採光用の多数の孔を穿設した採光屋根であって、長尺状の平板部（６ａ）と、その両側に垂直に形成された内側壁部（６ｅ）（６ｇ）と、該内側壁部（６ｅ）（６ｇ）の下端に直角に形成された底壁部（６ｂ）（６ｃ）と、該底壁部（６ｂ）（６ｃ）に直角に形成された外側壁部（６ｄ）（６ｆ）と、前記平板部（６ａ）の両側に立設されたガイド部（６ｌ）（６ｍ）とを備えた保持体（６）と、押さえ金具（１８）とを設け、透明パネル（２２）の両側部を前記保持体（６）の外側壁部（６ｄ）（６ｆ）の上端に載置し、前記保持体（６）のガイド部（６ｌ）（６ｍ）に前記押さえ金具（１８）を昇降自在に支承し、該押さえ金具（１８）の両側部の押さえ部（１８ｃ）（１８ｄ）を止水材（２８）（２８）を介して前記透明パネル（２２）の上面に圧接するとともに、該圧接した状態で押さえ金具（１８）を前記保持体（６）に固定し、前記保持体（６）の底壁部（６ｂ）（６ｃ）を前記屋根材（４）の水平部（４ｃ）を介して前記屋根支持体（２）に固定したことを特徴とする採光屋根。
【請求項２】
前記保持体（６）と押さえ金具（１８）がアルミニウムの型材により構成されていることを特徴とする請求項１に記載の採光屋根。
【請求項３】
前記屋根材（４）は、複数、前記屋根支持体（２）上に並列に配置され、各屋根材（４）の両側端に前記水平部（４ｃ）に対して直角の立ち上がり部（４ｄ）が形成され、互いに隣接する屋根材（４）の立ち上がり部（４ｄ）が前記保持体（６）の内側壁部（６ｅ）（６ｇ）間に位置して対向配置されていることを特徴とする請求項１に記載の採光屋根。
【請求項４】
前記透明パネルが、止水材（２４）を介して平行に重ねた２重パネルであることを特徴とする請求項１に記載の採光屋根。
【発明の詳細な説明】
【技術分野】
【０００１】
本発明は、太陽の光を室内に採り入れることができるようにした採光屋根に関する。
【背景技術】
【０００２】
屋内に太陽の光を採り入れることができる採光屋根は、従来、種々の構成のものが開発されている。この種の採光屋根としては、採光可能な素材よりなる所定幅の採光材が屋根の折曲方向に所定の間隔をおいて形成されている二枚の波形の屋根板をその採光材が互いに直交するように葺成したものが知られている。（例えば特許文献１参照）。また、透光部を有する太陽電池モジュールを用いた採光屋根が従来知られている（例えば特許文献２参照）。
【特許文献１】特開平９−３０２８５２号公報
【特許文献２】特開平２００１−２９８２０５号公報
【発明の開示】
【発明が解決しようとする課題】
【０００３】
従来の採光屋根はいずれも、屋根に透明部を形成する機構が複雑であり、施工が容易でなく、また、コスト高となるという問題点がある。
本発明は、構造が簡単で安価に製作でき、しかも水密性に優れた採光屋根を提供することを目的とするものである。
【課題を解決するための手段】
【０００４】
上記目的を達成するため本発明は、採光開放空間部を有して配置された屋根支持体（２）に金属板からなる屋根材（４）を葺成し、該屋根材（４）に採光用の多数の孔を穿設した採光屋根であって、長尺状の平板部（６ａ）と、その両側に垂直に形成された内側壁部（６ｅ）（６ｇ）と、該内側壁部（６ｅ）（６ｇ）の下端に直角に形成された底壁部（６ｂ）（６ｃ）と、該底壁部（６ｂ）（６ｃ）に直角に形成された外側壁部（６ｄ）（６ｆ）と、前記平板部（６ａ）の両側に立設されたガイド部（６ｌ）（６ｍ）とを備えた保持体（６）と、押さえ金具（１８）とを設け、透明パネル（２２）の両側部を前記保持体（６）の外側壁部（６ｄ）（６ｆ）の上端に載置し、前記保持体（６）のガイド部（６ｌ）（６ｍ）に前記押さえ金具（１８）を昇降自在に支承し、該押さえ金具（１８）の両側部の押さえ部（１８ｃ）（１８ｄ）を止水材（２８）（２８）を介して前記透明パネル（２２）の上面に圧接するとともに、該圧接した状態で押さえ金具（１８）を前記保持体（６）に固定し、前記保持体（６）の底壁部（６ｂ）（６ｃ）を前記屋根材（４）の水平部（４ｃ）を介して前記屋根支持体（２）に固定したことを特徴とするものである。
また本発明は、前記保持体（６）と押さえ金具（１８）がアルミニウムの型材により構成されていることを特徴とするものである。
また本発明は、前記屋根材（４）は、複数、前記屋根支持体（２）上に並列に配置され、各屋根材（４）の両側端に前記水平部（４ｃ）に対して直角の立ち上がり部（４ｄ）が形成され、互いに隣接する屋根材（４）の立ち上がり部（４ｄ）が前記保持体（６）の内側壁部（６ｅ）（６ｇ）間に位置して対向配置されていることを特徴とするものである。
また本発明は、前記透明パネルが、止水材（２４）を介して平行に重ねた２重パネルであることを特徴とするものである。
【発明の効果】
【０００５】
本発明は構造が簡単なため、施工が容易であり、水密性に優れしかも低コストで製作が可能である。
【発明を実施するための最良の形態】
【０００６】
以下に本発明の実施の形態を添付した図面を参照して詳細に説明する。
符号２は、図中、横方向に延びる、建物の母屋などの屋根支持体であり、Ｃ型鋼などの鋼材により構成され、鋼材間は空間を介して配置され、複数の屋根支持体２から成る屋根支持面は垂直方向に開放された採光空間部を有している。
【０００７】
前記屋根支持体２の支持面には、長尺状の金属板からなる採光用の多数の孔が形成された有孔屋根材４が複数並列に配置され、各有孔屋根材４の平板部４ａの両側部には、垂直部４ｂを介して、下位水平部４ｃが形成され、該各下位水平部４ｃの側端には、内向き突片４ｅ，４ｅが形成された立ち上がり部４ｄ，４ｄが形成されている。
【０００８】
６はアルミニウムの型材から成る、紙面垂直方向に伸びる長尺状の保持体であり、帯状の平板部６ａの両側に、底壁部６ｂ，６ｃと外側壁部６ｄ，６ｆと内側壁部６ｅ，６ｇと天壁部６ｈ，６ｉとで囲まれた筒状部６ｊ，６ｋが形成されている。
【０００９】
前記内側壁部６ｅ，６ｇ間には、外内側壁部６ｅ，６ｇと前記平板部６ａとで囲まれた凹入部８が形成され、該凹入部８内で、互いに隣接する一対の前記有孔屋根材４，４の立ち上がり部４ｄ，４ｄが対向配置されている。
【００１０】
前記保持体６の底壁部６ｂ，６ｃは、互いの隣接する一対の有孔屋根材４，４の下位水平部４ｃ，４ｃ上に配置され、該底壁部６ｂ，６ｃは、ビスによって、前記有孔屋根材４，４の下位水平部４ｃ，４ｃとともに、前記屋根支持体２に固定されている。
【００１１】
前記保持体６の側壁部６ｄ，６ｆの各上端には、突部が直角方向に一体に形成され、該突部の上面が、互いに同一高さの載置面１０，１０を形成している。また、前記保持体６の天壁部６ｈ，６ｉの開放端には、直角方向に突部が一体的に形成され、該突部の側面が係止面１４，１６を形成している。
【００１２】
前記保持体６の平板部６ａには、所定間隔を存して平行にガイド部６ｌ，６ｍが立設され、これに長尺状のアルミ型材からなる押さえ金具１８のスライド案内部１８ａ，１８ｂが昇降自在に嵌合している。
【００１３】
前記押さえ金具１８の両側には、紙面垂直方向に伸びる帯板状の押さえ部１８ｃ，１８ｄが形成されている。前記押さえ部１８ｃ，１８ｄには、キャップねじ用２０用の挿入孔が穿設され、該挿入孔と同軸上に位置するように、前記保持体６の天壁部６ｈ，６ｉにキャップねじ２０用のねじ穴が穿設されている。
【００１４】
２２は透明パネルであり、２枚の平行な透明板により構成され、各透明板間にゴム体などの止水材からなるスペーサー２４が配置され、二重パネル構造となっている。
【００１５】
上記した構成において、透明パネル２２，２２は、屋根支持体２上の保持体６とこれに所定間隔を存して隣接する保持体（図示省略）間に並列配置され、図１中、透明パネル２２の右側部は、その下面が、対応する有孔屋根材４の平板部４ａの一側に、ゴム体などの止水材２６を介して載置され、透明パネル２２の右側端は、保持体６の側壁部６ｄの載置面１０に載置される。
【００１６】
前記透明パネル２２の右側端部上面には，ゴム体などからなる止水材２８が配置され、該止水材２８は、押さえ金具１８を保持体６上に載置させることで、押さえ金具１８の押さえ部１８ｃと透明パネル２２の右側端部とで挟圧される。この挟圧力により、止水材２８は横方向に変形して、保持体６の係止面１４に圧着する。該状態で、キャップねじ２０が、押さえ金具１８のねじ挿入孔から保持体６の天壁部６ｈのねじ穴にきつくねじ込まれ、押さえ金具１８が、保持体６に固定される。
【００１７】
同様に、透明パネル２２の左側部は、対応する有孔屋根材４の平板部４ａに止水材３０を介して載置され、その左側端部は、保持体６の載置面１２に載置される。
【００１８】
透明パネル２２の左側端部の上面は、止水材２８を介して、押さえ金具１８の押さえ部１８ｄに圧着され、止水材２８は、押さえ部１８ｄと透明パネル２２の上面とで挟圧されるとともに係止面１６に密着し、該状態で、押さえ金具１８の押さえ部１８ｄは、キャップねじ２０により、保持体６の天壁部６ｉに固定される。
【００１９】
押さえ金具１８を保持体６にねじ止めした後は、押さえ部１８ｃ，１８ｄと、透明パネル２２，２２上面との間に形成される隙間にコーキング材３２が充填され、コーキング処理が施される。
【図面の簡単な説明】
【００２０】
【図１】本発明の一実施形態である採光屋根の断面図である。
【符号の説明】
【００２１】
２      屋根支持体
４      有孔屋根材
４ａ    平板部
４ｂ    垂直部
４ｃ    下位水平部
４ｄ    立ち上がり部
４ｅ    内向き突片
６      保持体
６ａ    平板部
６ｂ    底壁部
６ｃ    底壁部
６ｄ    側壁部
６ｅ    側壁部
６ｆ    側壁部
６ｇ    側壁部
６ｈ    天壁部
６ｉ    天壁部
６ｊ    筒状部
６ｋ    筒状部
６ｌ    ガイド部
６ｍ    ガイド部
８      凹入部
１０    載置面
１２    載置面
１４    係止面
１６    係止面
１８    押さえ金具
１８ａ  スライド案内部
１８ｂ  スライド案内部
１８ｃ  押さえ部
１８ｄ  押さえ部
２０    キャップねじ
２２    透明パネル
２４    スペーサー
２６    止水材
２８    止水材
３０    止水材
３２    コーキング材
【図１】
2007162334.tif 000003